(57)【要約】【課題】  交通シミュレーションを行う場合の人手による設定情報の入力を簡素化し、操作員の負荷を軽減する。【解決手段】  本発明は、流入車線と流出車線の交差点を介した接続関係を表す車線接続情報を生成する情報生成装置５に関する。この情報生成装置５は、次の第１情報〜第３情報を取得する取得部（記憶部１２）と、取得した第１情報〜第３情報に基づいて、車線接続情報を生成する生成部（制御部１１）と、を備える。  第１情報：流入リンクと流出リンクの交差点を介した接続関係を表すリンク接続情報  第２情報：流入リンク及び流出リンクの車線数  第３情報：移動体が実際に走行したリンクの車線を特定可能な走行車線情報【選択図】      図２
2014170290.tif 000002
【特許請求の範囲】
【請求項１】
流入車線と流出車線の交差点を介した接続関係を表す車線接続情報を生成する情報生成装置であって、
次の第１情報〜第３情報を取得する取得部と、
取得した前記第１情報〜第３情報に基づいて、前記車線接続情報を生成する生成部と、を備えていることを特徴とする情報生成装置。
第１情報：流入リンクと流出リンクの交差点を介した接続関係を表すリンク接続情報
第２情報：流入リンク及び流出リンクの車線数
第３情報：移動体が実際に走行したリンクの車線を特定可能な走行車線情報
【請求項２】
前記生成部は、前記流入リンクの各車線から前記流出リンクの各車線へ流出する所定期間におけるプローブ車両の発生率又は台数に基づいて、前記車線接続情報を生成する請求項１に記載の情報生成装置。
【請求項３】
前記生成部は、前記流入リンクの各車線から前記流出リンクの各車線に至る交差点内のルートの組み合わせのうち、所定期間における前記プローブ車両の発生率又は台数が所定の閾値以上であるルートを接続関係ありと判定し、その閾値未満であるルートを接続関係なしと判定する請求項２に記載の情報生成装置。
【請求項４】
前記取得部は、次の第４情報を更に取得し、
前記生成部は、取得した前記第３情報及び第４情報に基づいて、流入リンクから流出可能な方向別の各ステップにおける通行権の有無を表す通行権情報を生成する請求項１〜３のいずれか１項に記載の情報生成装置。
第４情報：移動体が交差点に進入する時点の交通信号機のステップ番号
【請求項５】
前記第４情報には、どのステップ番号がクリアランスステップであるかの情報が更に含まれており、
前記生成部は、前記クリアランスステップであるステップ番号において前記交差点に進入した車両の通過率又は台数を求める請求項４に記載の情報生成装置。
【請求項６】
流入リンクから流出可能な方向別の各ステップにおける通行権の有無を表す通行権情報を生成する情報生成装置であって、
次の第３情報と第４情報を取得する取得部と、
取得した前記第３情報及び第４情報に基づいて、前記通行権情報を生成する生成部と、を備えていることを特徴とする情報生成装置。
第３情報：移動体が実際に走行したリンクの車線を特定可能な走行車線情報
第４情報：移動体が交差点に進入する時点の交通信号機のステップ番号
【請求項７】
生成された前記車線接続情報又は／及び前記通行権情報が、車両通行についての交通シミュレーションを実行する交通シミュレータに対する設定情報として用いられる請求項１〜６のいずれか１項に記載の情報生成装置。
【請求項８】
複数の模擬車両の模擬走行により交通評価指標を出力する交通シミュレータであって、
請求項１に記載の情報生成装置の機能を有する交通シミュレータ。
【請求項９】
流入車線と流出車線の交差点を介した接続関係を表す車線接続情報を生成する情報生成装置として、コンピュータを機能させるためのコンピュータプログラムであって、
次の第１情報〜第３情報を取得するステップと、
取得した前記第１情報〜第３情報に基づいて、前記車線接続情報を生成するステップと、を含むことを特徴とするコンピュータプログラム。
第１情報：流入リンクと流出リンクの交差点を介した接続関係を表すリンク接続情報
第２情報：流入リンク及び流出リンクの車線数
第３情報：移動体が実際に走行したリンクの車線を特定可能な走行車線情報
【請求項１０】
流入リンクから流出可能な方向別の各ステップの通行権の有無を表す通行権情報を生成する情報生成装置として、コンピュータを機能させるためのコンピュータプログラムであって、
次の第３情報と第４情報を取得するステップと、
取得した前記第３情報及び第４情報に基づいて、前記通行権情報を生成するステップと、を含むことを特徴とするコンピュータプログラム。
第３情報：移動体が実際に走行したリンクの車線を特定可能な走行車線情報
第４情報：移動体が交差点に進入する時点の交通信号機のステップ番号
【発明の詳細な説明】
【技術分野】
【０００１】
本発明は、流入車線と流出車線の交差点を介した接続関係を表す車線接続情報や、流入リンクから流出可能な方向別の各ステップにおける通行権の有無を表す通行権情報などを生成する、情報生成装置に関する。
具体的には、車両通行についての交通シミュレーションを実行する交通シミュレータに対する、設定情報の入力を簡素化する技術に関する。
【背景技術】
【０００２】
交通規制や事故などの要因が車両交通に与える影響を事前に評価して分かりやすく表示する手段として、交通シミュレータの期待が高まっており、様々な技術開発が行われている（例えば、特許文献１及び２参照）。
かかる交通シミュレータでは、車両の走行の起終点情報を含む交通量（例えば、ＯＤ交通量）、リンクにおける車両の走行速度及び加速減速特性などの種々の交通情報が、所与のデータとして取り扱われる。
【０００３】
ＯＤ交通量は、車両の起点（出発地）と終点（目的地）の間の交通量を求めたもので、例えば、国又は自治体が定期的に実施する統計調査の結果得られた調査統計データなどが用いられる。
そして、交通シミュレータは、予め車両の移動モデル、すなわち、車両の挙動を模した計算式を内包しており、上述の入力データを当該計算式に当てはめることにより、単独交差点、路線及び市街地などの道路網における渋滞長、旅行時間などの交通評価指標、あるいは排ガスに含まれる二酸化炭素などの環境指標を出力する。
【先行技術文献】
【特許文献】
【０００４】
【特許文献１】特開２００３−３３１３７８号公報
【特許文献２】特開２００９−２５９１５８号公報
【発明の開示】
【発明が解決しようとする課題】
【０００５】
従来の交通シミュレータでは、道路ネットワークを定義する地図データとして、例えばデジタル道路地図に含まれるリンクとノード（交差点等）のデータが使用され、そのデータから、シミュレーション対象のエリア内の道路ネットワークを自動生成する。
従って、交通シミュレータの操作員は、シミュレーションを実施する場合の設定作業において、流入リンクと流出リンクの交差点を介した接続関係（リンク接続情報）を入力する必要はない。
【０００６】
しかし、デジタル道路地図などの道路ネットワークを定義する地図データには、リンクの車線数が含まれていることがあるが、通常、流入リンクに含まれる車線（流入車線）と流出リンクに含まれる車線（流出車線）の交差点を介した接続関係（車線接続情報）や、流入リンクから流出可能な方向別の各ステップにおける通行権の有無を表す情報（通行権情報）までは含まれていない。
【０００７】
このため、より精度の高いアルゴリズムで交通シミュレーションを行うために、上記の車線接続情報や通行権情報が必要となる場合には、シミュレーション対象のエリアに含まれる多数の交差点について、当該車線接続情報や通行権情報を操作員が手入力する必要があり、その入力作業に非常に手間がかかるという問題があった。
本発明は、かかる従来の問題点に鑑み、交通シミュレーションを行う場合の人手による設定情報の入力を簡素化することにより、操作員の負荷を軽減することを目的とする。
【課題を解決するための手段】
【０００８】
（１）  本発明の情報生成装置は、流入車線と流出車線の交差点を介した接続関係を表す車線接続情報を生成する情報生成装置であって、次の第１情報〜第３情報を取得する取得部と、取得した前記第１情報〜第３情報に基づいて、前記車線接続情報を生成する生成部と、を備えていることを特徴とする。
第１情報：流入リンクと流出リンクの交差点を介した接続関係を表すリンク接続情報
第２情報：流入リンク及び流出リンクの車線数
第３情報：移動体が実際に走行したリンクの車線を特定可能な走行車線情報
【０００９】
本発明の情報生成装置によれば、生成部が、取得した第１情報〜第３情報に基づいて上記の車線接続情報（流入車線と流出車線の交差点を介した接続関係を表す情報）を生成するので、生成した車線接続情報を交通シミュレータが用いるデータベースに格納することより、その車線接続情報を設定情報として入力する必要がなくなる。
このため、交通シミュレーションを行う場合の人手による設定情報の入力を簡素化することができ、操作員の負荷が軽減される。
【００１０】
（２）  本発明の情報生成装置において、例えば、前記生成部は、前記流入リンクの各車線から前記流出リンクの各車線へ流出する所定期間におけるプローブ車両の発生率又は台数に基づいて、前記車線接続情報を生成すればよい。
（３）  具体的には、前記生成部は、前記流入リンクの各車線から前記流出リンクの各車線に至る交差点内のルートの組み合わせのうち、所定期間における前記プローブ車両の発生率又は台数が所定の閾値以上であるルートを接続関係ありと判定し、その閾値未満であるルートを接続関係なしと判定することにより、前記車線接続情報を生成すればよい。
【００１１】
（４）  本発明の情報生成装置において、前記取得部は、次の第４情報を更に取得するとともに、前記生成部は、取得した前記第３情報及び第４情報に基づいて、流入リンクから流出可能な方向別の各ステップにおける通行権の有無を表す通行権情報を生成することが好ましい。
第４情報：移動体が交差点に進入する時点の交通信号機のステップ番号
【００１２】
本発明の情報生成装置によれば、生成部が、取得した第３情報及び第４情報に基づいて上記の通行権情報（流入リンクから流出可能な方向別の各ステップにおける通行権の有無を表す情報）を生成するので、生成した通行権情報を交通シミュレータが用いるデータベースに格納することより、その通行権情報を設定情報として入力する必要がなくなる。
このため、交通シミュレーションを行う場合の人手による設定情報の入力を簡素化することができ、操作員の負荷が軽減される。
【００１３】
（５）  また、本発明の情報生成装置において、前記第４情報には、どのステップ番号がクリアランスステップであるかの情報が更に含まれている場合には、前記生成部は、前記クリアランスステップであるステップ番号において前記交差点に進入した車両の通過率又は台数を求めることが好ましい。
【００１４】
この場合、求めた車両の通過率又は台数を交通シミュレーションのパラメータとして採用することにより、クリアランスステップでの車両通行がないと見なして行う通常の交通シミュレーションの場合に比べて、車両交通の実態により近い交通シミュレーションを行うことができる。
【００１５】
（６）  本発明の情報生成装置は、上述の通行権情報だけを生成する装置であってもよい。すなわち、本発明の情報生成装置は、流入リンクから流出可能な方向別の各ステップにおける通行権の有無を表す通行権情報を生成する情報生成装置であって、前記第３情報と第４情報を取得する取得部と、取得した前記第３情報及び第４情報に基づいて、前記通行権情報を生成する生成部と、を備えたものであってもよい。
【００１６】
（７）  本発明の情報生成装置が生成した情報、すなわち、前記車線接続情報又は／及び前記通行権情報は、車両通行についての交通シミュレーションを実行する交通シミュレータに対する設定情報として用いられることが好ましい。
これにより、交通シミュレーションを行う場合の人手による設定情報の入力を簡素化できるという、上述の効果が得られる。
【００１７】
（８）  本発明の交通シミュレータは、複数の模擬車両の模擬走行により交通評価指標を出力する交通シミュレータであって、上述の（１）〜（７）のいずれかに記載の情報生成装置の機能を有することを特徴とする。
この場合、交通シミュレータが上述の情報生成装置としての機能を有するので、車線接続情報又は／及び通行権情報を設定情報として入力する必要がなくなる。このため、交通シミュレーションを行う場合の人手による設定情報の入力を簡素化することができる。
【００１８】
（９）（１０）  本発明のコンピュータプログラムは、上述の（１）〜（７）のいずれかに記載の情報生成装置として、コンピュータを機能させるためのコンピュータプログラムに関するものである。
従って、本発明のコンピュータプログラムは、上述の（１）〜（７）のいずれかに記載の情報生成装置と同様の作用効果を奏する。
【発明の効果】
【００１９】
以上の通り、本発明によれば、交通シミュレーションを行う場合の人手による設定情報の入力を簡素化できるので、操作員の負荷を軽減することができる。
【図面の簡単な説明】
【００２０】
【図１】本発明の実施形態に係る交通情報処理システムの概略構成図である。
【図２】センタ装置の構成を概略的に示す機能ブロック図である。
【図３】プローブ情報のデータ構成を示す図である。
【図４】交差点の構造例を示す平面図である。
【図５】車両ごとの交差点進入時刻と挙動の対応関係を示すテーブルである。
【図６】車両の流入車線及び流出車線と交差点進入時におけるステップ番号の対応関係を示すテーブルである。
【図７】特定の交差点についての車線接続情報を定義するテーブルである。
【図８】流出リンクから流出可能と推定されるステップを流出方向別に示したテーブルである。
【図９】クリアランスステップでの車両の通過率を流出方向別に算出した結果を示すテーブルである。
【図１０】特定の流出リンクからの所定時間における流出車線ごとの流出台数を示すテーブルである。
【図１１】特定の流入リンクからの所定時間における流出車線ごとの流出割合を示すテーブルである。
【発明を実施するための形態】
【００２１】
以下、図面に基づいて、本発明の実施形態を説明する。
〔用語の定義〕  
本発明の実施形態を説明するに当たり、まず、本明細書で用いる用語の定義を行う。
「車両」：道路を通行する車両全般、具体的には、道路交通法上の車両のことをいう。同法上の車両には、自動車、原動機付自転車、軽車両及びトロリーバスが含まれる。本実施形態では、単に「車両」というときは、プローブ情報を生成可能な車載機を有する「プローブ車両」と、その車載機を有しない車両の双方を含む。
【００２２】
「プローブ情報」：実際に道路を走行するプローブ車両の車載機から得られる、車両に関する各種情報のことをいう。プローブデータ或いはフローティングカーデータと呼ばれることもある。車両ＩＤ、車両位置、車両速度、車両方位及びこれらの発生時刻などのデータがこれに含まれる。
車両位置と時刻が分かれば車両速度を算出できるので、プローブ情報には、少なくとも車両位置と時刻が含まれておれば足りるが、後述の実勢速度をより正確に算出するには、所定時刻ごとに計測された車両速度がプローブ情報に含まれていることが好ましい。
【００２３】
「リンク」：交差点などのノード間を繋ぐ、上り又は下りの方向を有する道路区間のことをいう。
「流入リンク」：ある交差点から見て、当該交差点に向かって流入する方向のリンクのことをいう。
「流出リンク」：ある交差点から見て、当該交差点から流出する方向のリンクのことをいう。
【００２４】
「車線」：リンクに含まれる１台の車両が通行するための幅員の区間のことをいう。リンクには、少なくとも１つの車線が含まれる。
「流入車線」：流入リンクに含まれる車線のこと、すなわち、ある交差点から見て、当該交差点に向かって流入する方向の車線のことをいう。
「流出車線」：流出リンクに含まれる車線のこと、すなわち、ある交差点から見て、当該交差点から流出する方向の車線のことをいう。
【００２５】
「リンク接続情報」：流入リンクと流出リンクの交差点を介した接続関係を表す情報のことをいう。
「車線接続情報」：流入車線と流出車線の交差点を介した接続関係を表す情報のことをいう。
「通行権情報」：流入リンクから流出可能な方向別の各ステップにおける通行権の有無を表す情報のことをいう。
【００２６】
「クリアランスステップ」：１つのサイクルに含まれる交通信号機のステップ（階梯）において、交差点から車両を退かせるためのステップ、具体的には、信号灯色が黄色又は赤色となるステップのことをいう。
「実勢速度」：ある道路区間を車両が実際に走行する場合に、大方の車両で計測されると推定される走行速度のことをいう。
【００２７】
従って、ある道路区間の実勢速度は、交差点における信号待ちの要素を含まない、主として道路幅員や傾斜度などの道路構造に依存する速度であり、概ねその道路区間の規制速度に対して＋１０ｋｍ／ｈ程度の速度であるとされている。
後述の通り、本実施形態では、この実勢速度を、複数のプローブ車両１から得られたプローブ情報から推定する。
【００２８】
「車両感知器」：道路を走行する車両の存在を定位置で１台ずつ検出する路側センサのことをいう。例えば、直下を通行する車両を超音波で感知する超音波式の車両感知器や、車両通過時の温度変化から車両の通過を感知する温度式の車両感知器や、インダクタンス変化で車両を感知する道路に埋め込まれたループコイル等がこれに該当する。
「感知信号」：道路の所定位置に設置された車両感知器が、１台の車両を検出した時に出力するパルス信号のことをいう。従って、複数台の車両が車両感知器を通過した場合には、各車両に対応する感知信号が時系列に出力される。
【００２９】
〔交通情報処理システム〕
図１は、本発明の実施形態に係る交通情報処理システムの概略構成図である。
本実施形態の交通情報処理システムでは、少なくとも車両位置とその位置の通過時刻のデータを含むプローブ情報を、センタ装置５がプローブ車両１から収集し、収集したプローブ情報を用いて所定のデータ処理を施すことにより、道路区間の旅行時間、渋滞状況及び最適経路などの交通情報を提供するサービスが行われる。
【００３０】
図１に示すように、本実施形態の交通情報処理システムは、プローブ車両１に搭載された車載機２と、路側に設置された基地局（「路側通信機」ともいう。）４及びセンタ装置５と、を備えている。
車載機２と基地局４の間では、無線通信が可能であり、基地局４とセンタ装置５との間では、所定の通信回線６を介して有線通信が可能である。ただし、基地局４とセンタ装置５との間の通信も無線通信であってもよい。
【００３１】
車載機２は、車速センサ、方位センサ、ＧＰＳ受信機、メモリ及び計時装置などを有する。車載機２は、プローブ車両１の位置と時刻などのプローブ情報に含めるべきデータを所定時間ごと又は一定走行距離ごとに収集し、メモリに蓄積する。
車載機２には、携帯電話機やスマートフォン等よりなる通信装置３が接続されている。通信装置３は、メモリに蓄積されたデータをプローブ情報として外部に送信する。プローブ車両１が送信したプローブ情報は、基地局４を介してセンタ装置５に送られる。なお、プローブ情報は、光ビーコンやＩＴＳ無線機などの路側装置（図示せず）を介して、センタ装置５に送ることにしてもよい。
【００３２】
プローブ情報の送信タイミングは任意であるが、本実施形態では、搭乗者がセンタ装置５に交通情報の提供サービスの送信を要求する際に、車載機２で蓄積されたプローブ情報を送信する。
すなわち、搭乗者が、渋滞状況などの情報提供を受けることを希望すると、通信装置３を操作してサービスの要求信号をセンタ装置５に送信する。この際、通信装置３は、要求信号の送信時点でメモリに蓄積されているプローブ情報を、その要求信号と併せてセンタ装置５に送信する。
【００３３】
〔センタ装置の構成〕
図２は、センタ装置５の構成を概略的に示す機能ブロック図である。
図２に示すように、センタ装置５は、送受信部１０、制御部１１、記憶部１２、入力部１３、表示部１４、各種のデータベース１５〜１７を備えている。
送受信部１０は、基地局４と制御部１１との間で、プローブ情報や渋滞状況などの各種のデータを送受信する。
【００３４】
制御部１１は、記憶部１２に格納されたコンピュータプログラム１８によって動作するコンピュータ装置よりなり、記憶部１２は、ハードディスクや半導体メモリなどの記憶媒体を含む。
記憶部１２に格納された本実施形態のコンピュータプログラム１８は、制御部１１を「情報生成装置」及び「交通シミュレータ」などの各種の装置として機能させるためのアプリケーションプログラムよりなる。
【００３５】
入力部１３は、操作員が制御部１１に対して所定の入力操作を行うための入力インタフェースであり、例えば、マウスやキーボードなどのヒューマンインタフェースにより構成されている。
表示部１４は、制御部１１の画像処理用ＣＰＵにより画面表示される液晶パネルなどのディスプレイ機器よりなり、コンピュータプログラム１８による所定の処理に応じた操作ウインドや動画などの各種の画像を表示する。
【００３６】
プローブ用データベース１５は、複数のプローブ車両１から数多く収集されるプローブ情報を格納するためのデータベースである。図３は、プローブ用データベース１５に格納されるプローブ情報のデータ構成を示す図である。
図３の「項目」の欄に示すように、本実施形態のプローブ情報には、「ノード情報」、「リンク情報」、「位置情報」及び「信号機情報」が含まれる。
【００３７】
ノード情報のデータ内容には、プローブ車両１が通過したノード（交差点）の有効データ数ｎと、そのノード番号とが含まれる。プローブ車両１は、交差点を通過するごとに、その通過時刻（秒単位）と通過した交差点のノード番号をプローブ情報に含める。
リンク情報のデータ内容には、プローブ車両１が通行したリンクの有効データ数ｎと、そのリンク番号が含まれる。プローブ車両１は、特定のリンクの車線を通過するごとに、その通行時刻とリンク番号と車線番号をプローブ情報に含める。
【００３８】
位置情報のデータ内容には、所定時間又は所定距離ごとに収集された車両位置の情報数ｎと、その車両位置（緯度・経度）とが含まれる。プローブ車両１は、所定時間又は所定距離を走行するごとに、現在時刻、車両位置、車両情報（車種や全長全幅等）、車両速度及び絶対方位をプローブ情報に含める。
【００３９】
信号機情報のデータ内容には、プローブ車両１が光ビーコン（図示せず）その他の路側機から取得した交通信号機の信号機情報の数と、その信号機情報の詳細内容が含まれる。プローブ車両１は、通過した交差点の時刻と、その通過時点における交通信号機の現示及びステップ番号をプローブ情報に含める。
なお、図３では図示されていないが、信号機情報の詳細内容には、１サイクル中のどのステップ番号がクリアランスステップであるかの情報も含まれる。
【００４０】
地図用データベース１６には、デジタル道路地図（ＤＲＭ：Digital Road Map）のデータ（以下、「地図データ」という。）が格納されている。
この地図データには、センタ装置５の管轄エリアに属するリンク及びノード（交差点）の位置（緯度・経度）、それらの識別番号、リンク接続情報、各リンクの車線数などのデータが含まれている。もっとも、デフォルト状態の地図データには、上述の「車線接続情報」や「通行権情報」は含まれていない。
【００４１】
パラメータ用データベース１７には、出発ゾーンと到着ゾーンごとに発生交通量と集中交通量を定義するＯＤ表（マトリックス）、このＯＤ表のセルごとに算出された各ゾーン間のＯＤ交通量、リンクを走行する仮想車両の車両速度（例えば、規制速度）などの、車両通行についての交通シミュレーションに必要なパラメータが格納されている。
【００４２】
本実施形態のセンタ装置５は、複数の交通信号制御機を制御する「交通管制機能」も有している。従って、送受信部１０は、管轄エリア内の車両感知器や交通信号制御機（図示せず）とも、通信回線６を介して通信可能に接続されている。
センタ装置５の制御部１１は、送受信部１０が受信した車両感知器の感知信号に基づいて、系統制御や広域制御などの「交通感応制御」を行い、この制御の結果生成した各交差点の信号制御パラメータを、送受信部１０から交通信号制御機に送信する。
【００４３】
上記の交通感応制御には、例えば、ＭＯＤＥＲＡＴＯ制御やプロファイル制御等を含む複数種類のものが含まれる。
センタ装置５の制御部１１は、その交通感応制御の結果の出力である、所定時間ごとの信号灯器の灯色切り替えタイミング等に関する信号制御指令を、所定周期周期（例えば、１分等）ごとに交通信号制御機に送信する。
【００４４】
〔情報生成装置の概要〕
情報生成装置として機能する場合のセンタ装置５（以下、単に「情報生成装置５」という。）の制御部１１は、次の「第１情報」と「第２情報」を地図用データベース１６から読み出す。
第１情報：リンク接続情報（＝流入リンクと流出リンクの交差点を介した接続関係）
第２情報：流入リンク及び流出リンクの車線数
【００４５】
また、情報生成装置５の制御部１１は、次の「第３情報」をプローブ用データベース１５から読み出す。
第３情報：プローブ車両１が実際に走行したリンクの車線を特定可能な走行車線情報
具体的には、制御部１１は、上記第３情報として、図３中の「リンク情報１〜ｎ」を読み出し、プローブ車両１が通行したリンクのリンク番号及び車線番号と、その通行時刻を特定する。
【００４６】
そして、情報生成装置５の制御部１１は、読み出した第１情報〜第３情報を、いったん記憶部１２に記憶させる。従って、情報生成装置５の記憶部１２は、第１情報〜第３情報を取得する取得部としての機能を有する。
情報生成装置５の制御部１１は、記憶部１２に記憶させた第１情報〜第３情報に基づいて、前記車線接続情報（＝流入車線と流出車線の交差点を介した接続関係）を生成する。
【００４７】
具体的には、情報生成装置５の制御部１１は、流入リンクの各車線から流出リンクの各車線に至る交差点内のルートの組み合わせのうち、所定期間（例えば、１日）におけるプローブ車両１の発生率が所定の閾値（例えば、２％）以上であるルートを接続関係「あり」と判定し、その閾値未満のルートを接続関係「なし」と判定して、流入車線と流出車線の交差点を介した接続関係を表す情報である「車線接続情報」を生成する。
【００４８】
ここで、例えば図４の交差点Ｉに示すように、流入リンク１４に３つの流出リンク２１，２２，２３が繋がっており、流入リンク１４の左直の車線１４−１から各流出リンク２１，２２，２３の各車線に流出する、所定期間におけるプローブ車両１のルートごとの発生率が、次の通りであった場合を想定する。なお、次の発生率は、車線１４−１の車両台数を母数としている。
【００４９】
車線１４−１→車線２１−１：１６％
車線１４−１→車線２１−２：１２％
車線１４−１→車線２２−１：５３％
車線１４−１→車線２２−２：１８％
車線１４−１→車線２３−１：  １％
車線１４−１→車線２３−２：  ０％
【００５０】
この場合、制御部１１は、２％以上の発生率である上４つのルートについては、流入車線１４−１と繋がる接続関係ありと判定し、２％未満の発生率である下２つのルートについては、車線１４−１と繋がる接続関係なしと判定する。従って、この場合の「車線接続情報」には、次の４つのルートが含まれることになる。
車線１４−１→車線２１−１
車線１４−１→車線２１−２
車線１４−１→車線２２−１
車線１４−１→車線２２−２
【００５１】
なお、車線１４−１→車線２３−１のルートの流出と、車線１４−１→車線２３−２のルートの流出が殆ど発生しない原因は、これらのルートは、流入リンク１４の「左直」の車線１４−１から交差点Ｉを右折して流出リンク２３に向かうルートであり、一般に危険な車両走行となるからである。
【００５２】
情報生成装置５の制御部１１は、上記の処理を流入リンク１１〜１４に含まれるすべての車線１１−１〜３，１２−１〜３，１３−１〜３，１４−１〜３について実行し、接続関係ありと判定したルートの車線接続情報を地図用データベース１６に格納する。
これにより、後述の交通シミュレータ５の操作員が、入力部１３を操作して車線接続情報を入力する必要がなくなり、交通シミュレータ５に対する設定情報の入力作業を簡素化することができる。
【００５３】
なお、上記の例では、車線接続情報を生成する場合の接続関係の有無の判定を、所定期間におけるプローブ車両１の「発生率」に基づいて行っているが、所定期間におけるプローブ車両１の「台数」に基づいてその判定を行ってもよい。
【００５４】
また、情報生成装置５の制御部１１は、次の「第４情報」をプローブ用データベース１５から読み出す。
第４情報：プローブ車両１が交差点を進入する時点の交通信号機のステップ番号
具体的には、制御部１１は、上記第４情報として、図３中の「信号機情報」を読み出し、プローブ車両１が交差点に進入した時刻（流入リンクの終端通過時刻）と、その時点の現示及びステップ番号を特定する。
【００５５】
そして、情報生成装置５の制御部１１は、読み出した第４情報を、いったん記憶部１２に記憶させる。従って、情報生成装置５の記憶部１２は、第４情報を取得する取得部としての機能も有する。
情報生成装置５の制御部１１は、記憶部１２に記憶させた第３情報と第４情報に基づいて、前記通行権情報（＝流入リンクから流出可能な方向別の各ステップにおける通行権の有無を表す情報）を生成する。
【００５６】
具体的には、制御部１１は、流入リンクから流出可能な方向ごとに、各プローブ車両１が通過したステップ番号を収集してデータベース化することにより（例えば図８参照）、通行権情報を生成する。
例えば、図８に示す例では、流入リンクから流出可能な方向（左折、直進及び右折）ごとに、各プローブ車両１が通過したステップ番号に○印を付することにより、通行権があるステップ番号が示されている。
【００５７】
情報生成装置５の制御部１１は、上記の処理をすべての流入リンクについて実行し、その流入リンクごとの通行権情報をパラメータ用データベース１７に格納する。
これにより、後述の交通シミュレータ５の操作員が、操作員が入力部１３を操作して通行権情報を入力する必要がなくなり、交通シミュレータ５に対する設定情報の入力作業を簡素化することができる。
【００５８】
本実施形態では、情報生成装置５の制御部１１は、多数のプローブ車両１に含まれる車両速度からリンクごとの実勢速度を推定し、このリンクごとの実勢速度をパラメータ用データベース１７に格納する。
【００５９】
本実施形態の情報生成装置５において、制御部１１が、クリアランスステップ（黄信号又は赤信号のステップ）であるステップ番号において交差点に進入したプローブ車両１における車両の通過率又は通過台数を算出し、算出した通過率や通過台数をパラメータ用データベース１７に格納することにしてもよい。
このようにすれば、クリアランスステップにおける車両の通過率や通過台数を交通シミュレーションに反映させることができ、実際の交通に即した交通シミュレーションが可能となる。
【００６０】
また、本実施形態の情報生成装置５において、制御部１１が、流入リンクから流出可能な方向別の「分岐率」を算出し、算出した分岐率をパラメータ用データベース１７に格納することにしてもよい。
このようにすれば、後述の交通シミュレータ５の操作員が、入力部１３を操作して分岐率を入力する必要もなくなり、交通シミュレータ５に対する設定情報の入力作業をより簡素化することができる。
【００６１】
〔交通シミュレータの概要〕
本実施形態の交通シミュレータは、デジタル地図に含まれる所定エリアのリンクに複数の模擬車両を模擬的に走行させることにより、交通評価指標を出力する装置であり、かかる交通シミュレータとして機能する場合のセンタ装置５（以下、単に「交通シミュレータ５」という。）の制御部１１は、地図用データベース１６とパラメータ用データベース１７から交通シミュレーションに必要なデータを読み出し、車両通行についての交通シミュレーションを実行する。
【００６２】
本実施形態では、操作員による入力部１３への入力操作により、例えば、交通シミュレーションを行うエリア、時間帯、渋滞区間などの所定の環境設定が行われ、その環境設定の条件下にて制御部１１が交通シミュレーションを実行する。
そして、制御部１１は、設定されたエリアに含まれる複数のゾーンのＯＤ表とＯＤ交通量を読み出し、所定の分布交通量モデルに基づくアルゴリズムにより、所定時間経過ごとの車両１台ごとの挙動を演算し、その挙動を道路ネットワークに対するアニメーションとして表示部１４に表示する。
【００６３】
なお、通常の交通シミュレーションでは、リンクの車両速度として、予め設定された「制限速度」（規制速度や法定速度）を用いるが、本実施形態では、情報生成装置５がパラメータ用データベース１７にリンクごとの「実勢速度」を格納しているので、この実勢速度をリンクの車両速度として採用し、交通シミュレーションを行うことが好ましい。
このようにすれば、制限速度を用いる場合に比べて、実際の車両交通に即した交通シミュレーションを行うことができる。
【００６４】
〔情報生成装置による処理内容の詳細〕
図４〜図１１は、情報生成装置５が行う各種情報の算出例を示す。以下、これらの図を参照しつつ、情報生成装置５が行う処理内容をより詳細に説明する。
図４は、交差点Ｉの構造例を示す平面図である。図４に示すように、この交差点Ｉは、十字路交差点であり、南北方向の道路１，３と東西方向の道路２，４を含む。各道路１〜４の流入リンクはそれぞれ３車線であり、流出リンクはそれぞれ２車線である。
ここでは、道路１〜４の流入リンクのリンク番号をそれぞれ１１〜１４とし、道路１〜４の流出リンクのリンク番号をそれぞれ２１〜２４としている。
【００６５】
３車線の流入リンク１１〜１４については、左直方向の車線の枝番号を「１」、直線方向の車線の枝番号を「２」、右折方向の枝番号を「３」としており、流入リンク１１〜１４の車線を枝番付きのリンクとして定義する。
例えば、流入リンク１４の左直方向の車線は「リンク１４−１」（「流入車線１４−１」ともいう。）であり、直進方向の車線は「リンク１４−２」（「流入車線１４−２」ともいう。）であり、右折方向の車線は「リンク１４−３」（「流入車線１４−３」ともいう。）である。その他の流入リンク１１〜１３についても同様である。
【００６６】
また、２車線の流出リンク２１〜２４については、流出リンク２１〜２４に属する直進方向の各車線の枝番号を「１」及び「２」としており、流出リンク２１〜２４の車線を枝番付きのリンクとして定義する。
例えば、流出リンク２４の幅方向外側の走行車線は「リンク２４−１」（「流出車線２４−１」ともいう。）であり、幅方向内側の追い越し車線は「リンク２４−２」（「流出車線２４−１」ともいう。）である。その他の流出リンク２１〜２３についても同様である。
【００６７】
図４において、「車両１」は、リンク（車線）１４−２から交差点Ｉに直進方向に進入してリンク（車線）２２−２に流出しており、リンク１４−２の終端を時刻１１：３０：３２に通過し、リンク２２−２の始端を時刻１１：３０：３４に通過したものとする。
また、「車両２」は、リンク（車線）１４−３から交差点Ｉに右折方向に進入してリンク（車線）２３−２に流出しており、リンク１４−３の終端を時刻１１：３０：３７に通過し、リンク２３−２の始端を時刻１１：３０：３９に通過したものとする。
【００６８】
図５は、車両ごとの交差点進入時刻と挙動の対応関係を示すテーブルである。また、図６は、車両の流入車線及び流出車線と交差点進入時におけるステップ番号の対応関係を示すテーブルである。
図６に示ように、交差点Ｉの交通信号機は、１サイクルが４現示でかつ１〜１２までのステップ番号を含み、図示の通りの現示と灯色が割り当てられているものとする。なお、図示の「−」は青、「＝」は赤、「Ｙ」は黄、「Ｗ」は歩行者点滅を示す。
【００６９】
情報生成装置５の制御部１１は、プローブ車両１の交差点通過時刻がステップ１〜１２のうちのどの時間帯に属するかを判定し、該当するステップにそれぞれ割り当てて、図５の対応テーブルをデータベース化する。
図５の対応テーブルは、日付時刻、リンク（流入車線）、行動、信号ステップ、日付時刻、リンク（流出車線）、行動、信号ステップ、行動の項目を有し、交差点Ｉを通過した車両ごとにこれらの項目の内容が記される。
【００７０】
例えば、図４の「車両１」は、「１１：３０：３２」にリンク１４−２を流出して交差点Ｉに至り、「１１：３０：３４」に交差点Ｉを抜けてリンク２２−２に進入しており、それらの時刻はステップ３に該当する。従って、図５の先頭行に示す記載内容となる。
また、図４の「車両２」は、「１１：３０：３７」にリンク１４−３を流出して交差点Ｉに至り、「１１：３０：３９」に交差点Ｉを抜けてリンク２３−２に進入しており、それらの時刻はステップ５に該当する。従って、図５の２番目の行に示す記載内容となる。
【００７１】
図６の対応テーブルは、交差点Ｉのステップ番号ごとの項目を有し、各ステップ番号の時間帯に車両が通行した流入車線と流出車線が当該項目ごとの記載内容となっている。
例えば、図４の「車両１」は、流入車線がリンク１４−２でかつ流出車線がリンク２２−２であるから、それらの車線データが「ステップ３」に割り当てられ、図４の「車両２」は、流入車線がリンク１４−３でかつ流出車線がリンク２２−２であるから、それらの車線データが「ステップ５」に割り当てられる。
【００７２】
以下同様に、情報生成装置５の制御部１１は、図３のプローブ情報が得られた各プローブ車両１（図６の車両３，４，５，６……）について、そのプローブ車両１が交差点Ｉに進入した時のステップ番号と、そのプローブ車両１がどの流入車線から交差点Ｉに入りどの流出車線に進んだかを特定し、特定したステップ番号に特定した流入車線と流出車線を記すことにより、図６の対応テーブルをデータベース化する。
【００７３】
図７は、特定の交差点Ｉについての車線接続情報を定義するテーブルである。具体的には、図７は、交差点Ｉの流入車線ごとに、その流入車線と接続関係にある流出車線と、接続関係にある流出車線に車両が進む場合の交差点Ｉにおける進行方向（直進、左折及び右折）を定義するテーブルである。
情報生成装置５の制御部１１は、多数のプローブ車両１のプローブ情報から図６の対応テーブルのデータ内容を集積し、集積したデータ内容に基づいて、図７の定義テーブルを生成する。
【００７４】
具体的には、情報生成装置５の制御部１１は、まず、図６の対応テーブルに含まれる多数のデータ内容から、同じステップ番号に含まれる流入車線と流出車線との対を集計する。この集計は、全車種で行う場合と車種ごと（大型貨物、路線バス、普通車ごと等）に行う場合のいずれであってもよい。そして、制御部１１は、特定の流入車線に対して所定値以上の発生率又は台数となる流出車線を、当該流入車線と接続関係がある車線と判定して、図７に定義するテーブル形式の車線接続情報を生成する。
【００７５】
例えば、流入車線１４−１に着目し、この流入車線１４−１から各流出車線に流出した所定期間におけるプローブ車両１の発生率が、前述と同様に、次の通りであったとする。
流入車線１４−１→流出車線２１−１：１６％
流入車線１４−１→流出車線２１−２：１２％
流入車線１４−１→流出車線２２−１：５３％
流入車線１４−１→流出車線２２−２：１８％
流入車線１４−１→流出車線２３−１：  １％
流入車線１４−１→流出車線２３−２：  ０％
【００７６】
この場合、制御部１１は、発生率が２％以上である４つの流入車線２１−１，２１−２，２２−１，２２−２については、流入車線１４−１と接続関係ありと判定し、発生率が２％である２つの流出車線２３−１，２３−２については、流入車線１４−１とは接続関係なしと判定する。
【００７７】
そして、制御部１１は、流入車線が「１４−１」であるデータ項目に関して、接続関係ありと判定した「２１−ｎ（ｎ＝１〜２）」及び「２２−ｎ（ｎ＝１〜２）」の流出車線のデータを残し、流出車線が「２３−ｎ（ｎ＝１〜２）」であるデータを消去して、流入車線１４−１に対応する流出車線の接続関係を特定する。
従って、「流入車線１４−１」から右折方向となる「流出車線２３−ｎ（１〜２）」については、最終的に図７の定義テーブルから省かれることになる。
【００７８】
制御部１１は、データ項目が「１４−１」以外の他の流入車線についても、交差点Ｉを介した車線間の経路の発生率に基づいて、上記と同様の判定と取捨選択を含む処理を行うことにより、図７の定義テーブルを完成させる。
すなわち、図７に例示する定義テーブルには、各流入車線に対して物理的に接続し得る最多の接続関係が含まれており、所定期間内の発生率が２％未満となる接続関係が逐次省かれることにより、図７の定義テーブルが完成する。そして、制御部１１は、完成したテーブル形式による車線接続情報を地図用データベース１６に格納する。
【００７９】
図８は、流出リンクから流出可能と推定されるステップを流出方向別に示したテーブルである。図８において、○印を付したステップ番号の時間帯が、当該流入リンクから当該方向への通行権が認められる時間帯を示している。
情報生成装置５の制御部１１は、図７の定義テーブル（車線接続情報）により定義された流入リンクの進行方向別に、その進行方向へ車両の流出が生じた時刻に対応するステップ番号を収集してデータベース化し、図８に示すテーブル形式の通行権情報を生成する。
【００８０】
具体的には、情報生成装置５の制御部１１は、まず、取得したプローブ情報のリンク情報（図３参照：図３のリンク情報にはプローブ車両１が実際に走行した車線番号が含まれているので、前記「走行車線情報」の一例である。）に含まれる車線番号から、プローブ車両１が実際に走行した流入車線と流出車線を特定し、特定した流入車線と流出車線の対応関係を図７の定義テーブルに当てはめることにより、そのプローブ車両１が走行した流入リンクと、交差点Ｉに入った後に進んだ進行方向（左折、直進又は右折）を特定する。
【００８１】
次に、制御部１１は、プローブ情報の信号機情報に含まれるステップ番号から、プローブ車両１が交差点Ｉに進入する時点の交通信号機のステップ番号を特定する。
そして、制御部１１は、１つのプローブ車両１について、流入リンクから流出可能な方向とステップ番号が特定されるごとに、対応する項目の車両台数値をインクリメントすることにより、図８の推定テーブルを生成する。図８に○印で示す各項目には、車両の台数値を記しても良い。
【００８２】
ここで、図８中の例えば「流入リンク１４から左折」に着目すると、ステップ番号１〜４までの項目に台数値データが記されているる。
このため、図８の推定テーブルによれば、「流入リンク１４から左折」する流出方向については、ステップ番号１〜４までに通行権があり、ステップ番号５〜１２までには通行権がないと推定できる。そして、制御部１１は、図８の推定テーブルよりなる通行権情報を、パラメータ用データベース１７に格納する。
【００８３】
なお、本実施形態では、プローブ情報の信号機情報に、どのステップ番号かクリアランスステップであるかが含まれており、図８に「※」で示すステップ番号が、当該信号機情報に含まれるクリアランスステップである。このように、実際の車両交通においては、黄信号や赤信号でも交差点Ｉを通過する車両が存在する。
そこで、情報生成装置５の制御部１１は、例えば次の算出式により、「クリアランス通過率」を算出する。図９は、そのクリアランスステップでの車両の通過率を流出方向別に算出した結果を示すテーブルである。
【００８４】
現示に対するクリアランス通過率の算出式：
流入交通量に対する割合の場合には、通過率＝Ｃｙａ／ＶＬｔ
分岐交通量に対する割合の場合には、通過率＝Ｃｙａ／ＶＬｄ
【００８５】
ただし、上記算出式における各パラメータの定義は、次の通りである。
Ｃｙａ：現示ａにおけるクリアランスステップの通過交通量（台）
ＶＬｔ：流出リンクに対する現示ａにおける流入交通量（台）
ＶＬｄ：流出リンクに対する現示ａにおける流入交通量のうち、所定の流出方向への分岐交通量
【００８６】
なお、上記算出式を用いることにより、図９の例では、「流入リンク１２」についての左折方向のステップ４（黄信号）におけるクリアランス通過率が１３％と算出され、直進方向のステップ４（黄信号）におけるクリアランス通過率が１５％と算出され、右折方向のステップ６（全赤）のクリアランス通過率が３０％と算出されている。
【００８７】
ここで、従来の交通シミュレータでは、通行可能なステップ（通常は青ステップ）のみで車両通行が発生すると仮定して交通シミュレーションを行う。しかし、実際は、黄信号や赤信号のステップでの通行は、車両の走行速度や位置によっては発生し得る。
このため、情報生成装置５の制御部１１は、算出したクリアランス通過率についても、交通シミュレータ５によるシミュレーションの設定情報として採用し、パラメータ用データベース１７に格納する。
【００８８】
このように、本実施形態では、実際の車両交通において往々にして発生する、クリアランスステップにおける車両の通過率についても、交通シミュレータ５の設定情報として採用するので、車両交通の実態により近い交通シミュレーションが可能となる。
なお、クリアランス通過率は、現示に対する通過率ではなく、クリアランスステップに対する通過率であってもよく、この場合には次の算出式を採用すればよい。
【００８９】
クリアランスステップに対するクリアランス通過率の算出式：
流入交通量に対する割合の場合には、通過率＝Ｃｙａ／ＶＬｙａｔ
分岐交通量に対する割合の場合には、通過率＝Ｃｙａ／ＶＬｙａｄ
【００９０】
ただし、上記算出式における各パラメータの定義は、次の通りである。
Ｃｙａ：現示ａにおけるクリアランスステップの通過交通量（台）
ＶＬｙａｔ：流出リンクに対する現示ａのクリアランスステップにおける流入交通量（台）
ＶＬｙａｄ：流出リンクに対する現示ａにおけるクリアランスステップにおける流入交通量のうち、所定の流出方向への分岐交通量
【００９１】
なお、例えば、独立現示方式の場合（方向別に青の早期打ち切りを行う場合等）のように、クリアランスステップが進行方向別に発生するような場合には、クリアランス通過率をその進行方向ごとに算出すればよい。
例えば、左折矢→全赤１→直進矢→全赤２→右折矢→全赤３の順序で現示が切り替わる交差点の場合には、各全赤１〜３の通過率はそれぞれ次のようになる。
全赤１のクリアランス通過率＝左折のクリアランス通過率
全赤２のクリアランス通過率＝直進のクリアランス通過率
全赤３のクリアランス通過率＝右折のクリアランス通過率
【００９２】
図１０は、特定の流出車線からの所定時間における流出車線ごとの流出台数を示すテーブルであり、図１０の例では、図４における流入リンク１４の場合を例示している。
図１０に示すように、情報生成装置５の制御部１１は、通行可能な現示において発生した車両台数を、図７の定義テーブルに含まれる接続関係ごとに集計してデータベース化することにより、図１０のテーブルを生成する。
【００９３】
そして、制御部１１は、図１０の集計テーブルに基づいて、例えば次の算出式により、流入車線ごとの流出車線の分岐率を算出し、算出した分岐率をパラメータ用データベース１７に格納する。
流入路交通量に対する割合を採用する場合の算出式：
分岐率＝ＬＮ／ＶＬｔ
分岐交通量に対する割合を採用する場合の算出式：
分岐率＝ＬＮ／ＶＬｄ
【００９４】
ただし、上記算出式における各パラメータの定義は、次の通りである。
ＬＮ：流入リンクの特定の車線から流出リンクの特定の走行車線への交通量（台）
ＶＬｔ：流入リンクに対する流入交通量（台）
ＶＬｄ：流入リンクに対する流入交通量のうち、所定の流出方向への分岐交通量
【００９５】
なお、上記算出式を用いることにより、図１０の例では、「流入リンク１４」からの左折方向において、流入車線１４−１→流出車線２１−１の分岐率が１７％と算出され、流入車線１４−１→流出車線２１−２の分岐率が２％と算出され、流入車線１４−２→流出車線２１−２の分岐率が１％と算出されている。
【００９６】
このため、交通シミュレータ５の制御部１１が、パラメータ用データベース１７に含まれる交差点ごとの上記分岐率をパラメータに含めて交通シミュレーションを行えば、シミュレーションの精度をより向上させることができる。
ここで、道路管理者等が入力する「工事情報」や「規制情報」とリンクさせることができるならば、通常のデータとして採用されるかどうか、工事等によるデータとしてデータベースに格納されるかを選択でき、シミュレーションの更なる精度向上を図ることができる。
【００９７】
例えば、「工事情報」や「規制情報」が各交差点に、時間帯データ毎（例えば、１時間）に紐付けられており、分岐率やクリアランス通過率も各交差点に、時間帯データ毎に紐付けられている場合、各交差点の時間帯データ毎の分岐率あるいはクリアランス通過率を、工事や事故等による規制の有無とリンクさせる。
そして、通常のシミュレーションを行う場合は、規制が「なし」となっているときの分岐率、クリアランス通過率を使い、規制ありの場合のシミュレーションを行う場合は、規制が「あり」となっているときの分岐率、クリアランス通過率を使うことができる。
【００９８】
なお、上記の算出式で得られる分岐率は、いわば現示ごとの「車線対車線利用率」を意味するが、データ数によっては分岐率をステップごとに求めることにしてもよい。
また、分岐率は、１日平均で算出してよく、曜日平均で算出してもよい。更に、各々の日において時間帯別（朝通勤交通時間帯、昼間通行情報、夕帰宅交通時間帯、深夜時間帯、時台など）に分岐率を集計することにより、シミュレーションの精度を向上させることも可能である。
【００９９】
図１１は、特定の流出車線からの所定時間における流出車線ごとの流出割合を示すテーブルであり、図１１の例においても、図４における流入リンク１４の場合を例示している。
図１１に示すように、情報生成装置５の制御部１１は、通行可能な現示において発生した流出割合を、図７の定義テーブルに含まれる接続関係ごとに集計してデータベース化することにより、図１１のテーブルを生成することにしてもよい。
【０１００】
なお、図１１の例では、「流入リンク１４」からの左折方向において、流入車線１４−１→流出車線２１−１の分岐率が１９％と算出され、流入車線１４−１→流出車線２１−２の分岐率が２％と算出され、流入車線１４−２→流出車線２１−２の分岐率が１％と算出されている。
【０１０１】
この場合、制御部１１は、図１１の集計テーブルを用いることにより、上記と同様の算出式によって、流入車線ごとの流出車線の分岐率を算出することができる。
従って、図１０の場合と同様に、算出された分岐率はパラメータ用データベース１７に格納することにすればよい。
【０１０２】
〔その他の変形例〕
本発明の権利範囲は、上述の実施形態（変形例を含む。）ではなく特許請求の範囲によって示され、特許請求の範囲及びその構成と均等な範囲内のすべての変更が含まれる。
例えば、上述の実施形態では、プローブ車両１が生成するプローブ情報（図３）に、ノード情報とリンク情報が含まれているが、プローブ車両１は図３中の位置情報のみを外部に送信し、その他の情報を基地局４やセンタ装置５などの路側装置が生成することにしてもよい。
【０１０３】
この場合、路側装置は、プローブ情報に含まれる時系列の位置情報からマップマッチング等によってノード情報やリンク情報を生成することにすればよい。
また、センタ装置５は、管轄エリア内の各交差点のステップ番号を把握していることが多い。従って、この場合には、プローブ情報には信号機情報が含まれている必要はなく、センタ装置５自身が、プローブ車両１の交差点進入時におけるステップ番号を自律的に算出することにすればよい。
【符号の説明】
【０１０４】
１      プローブ車両
２      車載機
３      通信装置
４      基地局
５      センタ装置（情報生成装置、交通シミュレータ）
６      通信回線
１０      送受信部
１１      制御部（生成部）
１２      記憶部（取得部）
１３      入力部
１４      表示部
１５      プローブ用データベース
１６      地図用データベース
１７      パラメータ用データベース
１８      コンピュータプログラム
【図１】
2014170290.tif 000003
【図２】
2014170290.tif 000004
【図３】
2014170290.tif 000005
【図４】
2014170290.tif 000006
【図５】
2014170290.tif 000007
【図６】
2014170290.tif 000008
【図７】
2014170290.tif 000009
【図８】
2014170290.tif 000010
【図９】
2014170290.tif 000011
【図１０】
2014170290.tif 000012
【図１１】
2014170290.tif 000013